(57)【要約】【課題】本発明は、メンテナンススペースを設ける必要がなく、容易に大型化できる大型表示装置を提供する。【解決手段】表示パネル１と、開閉が可能となるように表示パネル１の一辺を支持する筐体２とを備える表示モジュール３が複数配列された大型表示装置である。当該大型表示装置は、筐体２の下部に取り付けられた第１のガイド体８が移動する第１のレール５と、筐体２の上部に取り付けられた第２のガイド体９が移動する第２のレール４とを備える。【選択図】図１
2005338531.tif 000002
【特許請求の範囲】
【請求項１】
表示パネルと、開閉が可能となるように前記表示パネルの一辺を支持する筐体とを備える表示モジュールが複数配列された大型表示装置であって、
前記筐体の下部に取り付けられた第１のガイド体が移動する第１のレールと、
前記筐体の上部に取り付けられた第２のガイド体が移動する第２のレールとを備える、大型表示装置。
【請求項２】
請求項１に記載の大型表示装置であって、
前記表示モジュールに取手を備えたことを特徴とする、大型表示装置。
【請求項３】
請求項１又は請求項２に記載の大型表示装置であって、
前記筐体に支持された前記表示パネルの前記一辺は、前記表示パネルの左辺又は右辺であり、
前記筐体は、下辺部に前記表示パネルを案内し支持する支持板を備えたことを特徴とする、大型表示装置。
【請求項４】
請求項１乃至請求項３のいずれか１つに記載の大型表示装置であって、
前記筐体は、前記第１のレール又は前記第２のレールに固定する固定具を備えたことを特徴とする、大型表示装置。
【請求項５】
請求項１乃至請求項４のいずれか１つに記載の大型表示装置であって、
前記表示モジュールは、隣接する前記表示モジュールを連結するための第１の連結具を備えていることを特徴とする、大型表示装置。
【請求項６】
請求項５に記載の大型表示装置であって、
前記第１の連結具は、磁石により構成されていることを特徴とする大型表示装置。
【請求項７】
請求項１乃至請求項６のいずれか１つに記載の大型表示装置であって、
前記第２のレールは、前記表示モジュールを吊り下げ可能であることを特徴とする、大型表示装置。
【請求項８】
請求項１乃至請求項７のいずれか１つに記載の大型表示装置であって、
前記筐体に支持された前記表示パネルの前記一辺は、前記表示パネルの上辺又は下辺であることを特徴とする、大型表示装置。
【請求項９】
請求項１乃至請求項８のいずれか１つに記載の大型表示装置であって、
前記表示パネル及び前記筐体は、互いを連結するための第２の連結具を備えることを特徴とする大型表示装置。
【請求項１０】
請求項９に記載の大型表示装置であって、
前記第２の連結具は、互いに嵌合する凹凸形状を有することを特徴とする大型表示装置。
【発明の詳細な説明】
【技術分野】
【０００１】
本発明は、大型表示装置に係る発明であって、特に、表示パネルを複数配置して構成する大型表示装置に関するものである。
【背景技術】
【０００２】
従来、屋外に設置するような大型表示装置においては、保守作業や点検作業を行うために、大型表示装置の背面にメンテナンススペースを確保する必要があった。このメンテナンススペースには、作業員が入って作業できる程度のスペースが必要であった。そのため、大型表示装置を既存の建物に設置する場合、メンテナンススペースを含めた空間を確保すること、大型表示装置及び作業員込みのメンテナンススペースの重量を支えることができる建物強度を有していること等の制約が多く、大型表示装置を設置する大きな障害となっていた。
【０００３】
そこで、メンテナンススペースを設ける必要がない大型表示装置として、特許文献１に示すような大型表示装置が考えられた。特許文献１に示す大型表示装置では、保守作業や点検作業を行う際に、大型表示装置の背面から行うのではなく、前面から行えるような構造としている。つまり、特許文献１に示す大型表示装置では、表示パネルを前面側から観音開き式に開閉することができる構造である。
【０００４】
【特許文献１】特開平８−７６６９４号公報
【発明の開示】
【発明が解決しようとする課題】
【０００５】
特許文献１に示す大型表示装置は、メンテナンススペースを設ける必要がない構造である。しかし、特許文献１に示す大型表示装置は、観音開き式に開閉する構造であるため、表示パネルを大型化すると回転支持部材の強度等の製作条件に多くの制約があり、容易に大型化し難い問題点があった。
【０００６】
そこで、本発明は、メンテナンススペースを設ける必要がなく、容易に大型化できる大型表示装置を提供することを目的とする。
【課題を解決するための手段】
【０００７】
本発明に係る解決手段は、表示パネルと、開閉が可能となるように表示パネルの一辺を支持する筐体とを備える表示モジュールが複数配列された大型表示装置であって、筐体の下部に取り付けられた第１のガイド体が移動する第１のレールと、筐体の上部に取り付けられた第２のガイド体が移動する第２のレールとを備える。
【発明の効果】
【０００８】
本発明に記載の大型表示装置は、表示パネルが開閉が可能で、レールにより移動可能であるので、メンテナンススペースを設ける必要がなく、容易に大型化することができる効果がある。
【発明を実施するための最良の形態】
【０００９】
（実施の形態１）
図１に、本実施の形態に係る大型表示装置の斜視図を示す。図１に示す大型表示装置では、ＬＥＤ（Light Emitting Diode）や液晶などを表示部に用いた表示パネル１と、表示パネル１を支持する筐体２とで構成される表示モジュール３が複数配列されている。なお、図１では、４つの表示モジュール３が水平方向に配列されているが、本発明はこれに限られない。
【００１０】
表示モジュール３は、水平方向に移動可能となるように上レール４及び下レール５に支持されている。さらに、図１に示す大型表示装置では、化粧パネル６が表示モジュール３の周りに配置され、大型表示装置の外観を形成している。これら、化粧パネル６は、上レール４及び下レール５に固定されている。
【００１１】
本実施の形態に係る大型表示装置をメンテナンスする場合、化粧パネル６を外して表示モジュール３を水平に移動させ、表示パネル１を開閉する作業を行うことが必要となる。図２に、メンテナンス時の本実施の形態に係る大型表示装置の斜視図を示す。図２に示す大型表示装置では、作業スペースを確保するために表示モジュール３が水平に移動され、図の右から２番目に位置する表示モジュール３の表示パネル１が開かれている。
【００１２】
表示パネル１は、筐体２の左辺に取り付けられたヒンジ７により支持されており、筐体２の左辺を軸として片開き方式に開閉可能となっている。図２では、右から２番目に位置する表示モジュール３のみヒンジ７が図示されているが、他の表示モジュール３も同様に、筐体２の左辺に設けられたヒンジ７により、表示パネル１が支持されている。また、図２では、筐体２の左辺にヒンジ７が取り付けられているが、本発明はこれに限られず筐体２の右辺にヒンジ７を取り付ける構成でも良い。
【００１３】
上述のように、本実施の形態に係る大型表示装置は、図２に示すように表示パネル１を前面側から開くことができるので、背面のメンテナンススペースを設けることなく保守作業や点検作業を行うことができる。
【００１４】
次に、本実施の形態に係る表示モジュール３が水平方向に移動する機構等について説明する。図３に、本実施の形態に係る表示モジュール３の正面図、図４に、本実施の形態に係る表示モジュール３の側面図、図５に、本実施の形態に係る表示モジュール３の上面図、図６に、本実施の形態に係る表示モジュール３の底面図をそれぞれ示す。
【００１５】
図３に示す表示モジュール３では、下レール５を移動可能にするためのガイド体として筐体２の下辺に車輪８が設けられている。この車輪８は、表示モジュール３の左右に２つ設けられている。そして、本実施の形態に係る大型表示装置では、車輪８と下レール５とで表示モジュール３の大半の重量を支えている。一方、筐体２の上辺には、ガイド体として上レール４に沿って回転する脱落防止用のガイドローラ９が設けられている。図４では、表示モジュール３の他に上レール４及び下レール５も図示している。そのため、図４により、表示モジュール３の車輪８が下レール５に支持され、ガイドローラ９が上レール４に支持されている様子が分かる。なお、本実施の形態では、上レール４及び下レール５を移動するガイド体として、車輪８やガイドローラ９の回転体が用いられているが、本発明はこれに限られない。
【００１６】
さらに、本実施の形態に係る表示モジュール３は、筐体２に設けられた固定具により上レール４及び下レール５に固定することが可能である。ここで、筐体２に設けられた固定具とは、図３などに示す取付孔を有する固定金具１０と固定ピン１１である。図４では、固定金具１０と上レール４及び下レール５とが固定ピン１１で固定されている様子が示されている。また、図６では、固定ピン１１が固定金具１０と下レール５とに挿入される様子が示されている。
【００１７】
本実施の形態に係る大型表示装置では、固定金具１０と固定ピン１１により、表示モジュール３を上レール４及び下レール５に固定するので、設置後やメンテナンス作業時に表示モジュール３が移動するのを防止することができる効果がある。なお、上記固定具は例示であり、本発明はこれに限られない。
【００１８】
さらに、本実施の形態に係る大型表示装置では、隣接する表示モジュール３を連結するために連結具が表示パネル１に設けられている。図３では、表示パネル１の上辺及び下辺の両端に連結具１２が設けられている。なお、本実施の形態で説明する連結具１２は、金具部１２ａとフック部１２ｂから構成されており、図３では表示パネル１の左側に金具部１２ａ、右側にフック部１２ｂがそれぞれ設けられている。
【００１９】
この連結具１２を用いて、隣接する表示モジュール３間を連結する。その様子を図７に示す。図７では、左側に位置する表示モジュール３の表示パネル１ａと右側に位置する表示モジュール３の表示パネル１ｂとが連結される様子が示されている。そして、図７では、表示パネル１ａに設けられた金具部１２ａの一部を表示パネル１ｂに設けられたフック部１２ｂに引っかけ固定する様子が示されている。
【００２０】
本実施の形態に係る大型表示装置では、連結具１２により隣接する表示モジュール３を連結するので、隣接する表示モジュール３間を密着させ、表示パネル１の境を狭めることができる。なお、本実施の形態では、連結具１２は表示パネル１に設けられているが、本発明はこれに限られず筐体２でも良い。また、上記連結具１２は例示であり、本発明はこれに限られない。
【００２１】
さらに、本実施の形態に係る大型表示装置では、表示パネル１と筐体２とを連結するために連結具１３が設けられている。これは、表示パネル１と筐体２とを密着して連結させることにより、防水構造とすることができるためである。図４には、表示パネル１及び筐体２の上辺及び下辺に連結具１３が設けられている様子が示されている。なお。連結具１３は、金具部１３ａとフック部１３ｂから構成されており、図５及び図６では表示モジュール３の右側にのみ設けられている。これは、表示モジュール３の左側にはヒンジ７（図示せず）により固定されているから、別途連結具１３を設ける必要がないためである。
【００２２】
この連結具１３を用いて、表示パネル１と筐体２とを連結している。その様子を図８に示す。図８では、表示パネル１に設けられた金具部１３ａの一部を、筐体２に設けられたフック部１２ｂに引っかけ固定し、表示パネル１と筐体２とを連結する様子が示されている。
【００２３】
本実施の形態に係る大型表示装置では、連結具１３で表示パネル１と筐体２とを接合しているので、表示モジュール３を防水構造とすることができ、また、誤って表示パネル１が開いてしまう場合を防止することができる。なお、上記連結具１３は例示であり、本発明はこれに限られない。
【００２４】
次に、本実施の形態に係る大型表示装置のメンテナンス動作について説明する。まず、表示パネル１の表示部を保守、調整するためには、化粧パネル６を取り外し、大型表示装置の内部を確認することができる状態にする。次に、隣接する表示モジュール３間を連結している連結具１２を全て解除し、上レール４及び下レール５と固定金具１０とを固定している固定ピン１１を全て取り除く。これにより、表示モジュール３が上レール４及び下レール５を移動可能となるため、表示モジュール３を水平方向に移動させる。作業員が作業しやすい位置まで表示モジュール３を移動後、作業中の移動等危険防止のために上レール４及び下レール５と固定金具１０とを固定ピン１１で固定する。次に、表示パネル１と筐体２とを連結する連結具１３を解除し、表示パネル１を筐体２から開く。表示パネル１を開いた状態で、掃除、保守、調整等のメンテナンス作業を行う。
【００２５】
次に、メンテナンス作業終了後、まず表示パネル１を閉じ、連結具１３で表示パネル１と筐体２とを連結する。そして、作業時に仮に固定した固定ピン１１を取り除き、表示モジュール３を所定の位置に移動させる。所定の位置まで表示モジュール３を移動した後、上レール４及び下レール５と固定金具１０とを固定ピン１１で固定する。
【００２６】
なお、大型表示装置が複数個の表示モジュール３で構成されている場合、まず中央に位置する表示モジュール３を所定の位置に固定し、次に、中央に位置する表示モジュール３と隣接する表示モジュール３を連結具１２で連結させて、表示モジュール３間の隙間を調整する。表示モジュール３間の隙間を調整した後に、上レール４及び下レール５と隣接する表示モジュール３の固定金具１０とを固定ピン１１で順次固定していく。
【００２７】
同様の作業を全ての表示モジュール３に行い、複数個の表示モジュール３を連結し所定の位置に固定する。全ての表示モジュール３を所定の位置に固定した後に、化粧パネル６を上レール４及び下レール５に固定して取り付ける。以上のメンテナンス動作により、本実施の形態に係る大型表示装置のメンテナンスを行うことができる。
【００２８】
以上のように、本実施の形態に係る大型表示装置は、表示パネル１が開閉可能となるように筐体２に取り付けられた表示モジュール３を、上レール４及び下レール５で支持するので、メンテナンスを大型表示装置の前面から行うことができるとともに、表示モジュール３単位で容易に大型化することができる構成である。
【００２９】
（実施の形態２）
図９に、本実施の形態に係る表示モジュール３の平面図を示す。図９に示す表示モジュール３は、図３に示した表示モジュール３に取手１４を取り付けた構造である。これは、表示モジュール３が重い場合に、表示モジュール３を移動させ難い問題点を解消するために取手１４が設けられている。図９に示す表示モジュール３の側面図を図１０に示す。図１０から分かるように、取手１４は表示パネル１の下辺に取り付けられている。なお、図９及び図１０において実施の形態１で説明した図３及び図４と同じ部分については同一符号を付与している。また、本実施の形態では、同一符号を付与した部分については詳細な説明は省略する。
【００３０】
図９及び図１０に示す表示モジュール３では、表示パネル１の下辺部に取手１４を設けたが、大型表示装置の設置場所によっては表示パネル１の下辺部に作業スペースがなく、下辺部に取り付けた取手１４の操作が困難な場合がある。この場合は、取手１４を表示パネル１の下辺部ではなく上辺部に設ける。図１１に、表示パネル１の上辺部に取手１４を設けた表示モジュール３の平面図を示す。また、図１２に、図１１に示す表示モジュール３の側面図を示す。
【００３１】
さらに、表示モジュール３が重く、作業員１人で表示モジュール３を移動することが困難な場合は、取手１４を表示パネル１の上辺部と下辺部との両方に設ける（図示せず）。これにより、作業員２人でそれぞれの取手１４を分担し、表示モジュール３を移動することが可能となる。
【００３２】
以上のように、本実施の形態では表示モジュール３に取手１４を設けることで、表示モジュール３の移動を容易に行うことができる効果がある。なお、本実施の形態では、前面から操作が容易に行えるように取手１４が表示パネル１に設けられているが、操作上問題がなければ筐体２に取手１４を設けても良い。
【００３３】
（実施の形態３）
図１３に、本実施の形態に係る表示モジュール３の平面図を示す。また、図１３の表示モジュール３における破線部での断面図を図１４に示す。図１３に示す表示モジュール３は、図３に示した表示モジュール３に支持板１５を取り付けた構造である。この支持板１５は、表示モジュール３の右側であって、且つ筐体２の下辺部に取り付けられている。また、この支持板１５は、筐体２には固定されているが表示パネル１とは固定されておらず、表示パネル１側の先端近傍が下方向に折れ曲がっている（図１４の断面図を見ると「へ」の字形となっている）。なお、図１３及び図１４において実施の形態１で説明した図３及び図４と同じ部分については同一符号を付与している。また、本実施の形態では、同一符号を付与した部分については詳細な説明は省略する。
【００３４】
本実施の形態に係る表示モジュール３では、表示パネル１が筐体２の左辺に設けられたヒンジ７（図示せず）によりで支持される構造である。しかし、ヒンジ７が経年劣化等することにより、表示パネル１と筐体２と設計通りの位置で連結できなくなる場合が考えられる。特に、表示パネル１を開いたとき、ヒンジ７が劣化していると表示パネル１の自重により、ヒンジ７と反対側の辺（右辺）が下方に下がってしまう問題があった。そこで、本実施の形態に係る表示モジュール３では、筐体２の下辺部の右辺側に支持板１５を設けている。これにより、表示パネル１の右辺が下方に下がっても、表示パネル１を閉じる際に、表示パネル１が支持板１５の折れ曲がった部分を摺動し、設計通りの位置に戻ることができる。
【００３５】
以上のように、本実施の形態に係る大型表示装置では、筐体２の下辺部に支持板１５を設けているので、表示パネル１の開閉が容易になると共に、表示パネル１と筐体２とを設計通りに密着することができる。
【００３６】
（実施の形態４）
図１５は、本実施の形態に係る連結具を示す図である。図１５に示す連結具は、図７で示した連結具１２（金具部１２ａとフック部ｂ）に代えて、Ｌ字型の連結固定具１６、ボルト１７及びナット１８で構成されている。Ｌ字型の連結固定具１６は、一方の辺が表示パネル１にスポット溶接等で固定され、他方の辺にはボルト１７を通す孔が開けられている。また、Ｌ字型の連結固定具１６は、表示パネル１の上辺部及び下辺部の両端に設けられる。
【００３７】
図７で示した連結具１２は、金具部１２ａの一部をフック部１２ｂに引っかけ、金具部１２ａに設けられたバネの力で隣接する表示パネル１を引き寄せ連結していた。そのため、表示モジュール３が重くなると、金具部１２ａに設けられたバネの力では、隣接する表示パネル１を引き寄せられず、表示パネル１間を密着させることができない場合があった。そこで、本実施の形態に示したように、隣接する表示パネル１のそれぞれに取り付けられたＬ字型の連結固定具１６をボルト１７とナット１８で固定することで、表示モジュール３が重い場合であっても表示パネル１間を密着させることができる。
【００３８】
（実施の形態５）
実施の形態１に係る大型表示装置では、車輪８と下レール５とで表示モジュール３の大半の重量を支えていた。しかし、大型表示装置の設置場所によっては下辺部に荷重できない場合があり、この場合には実施の形態１に示した大型表示装置の構成をとることができない問題があった。そこで、本実施の形態に係る大型表示装置では、表示モジュール３の重量の大半を上レールで支持する構成とする。
【００３９】
図１６に、本実施の形態に係る表示モジュール３の側面図を示す。図１６に示す表示モジュール３では、複数の表示モジュール３の重量を支えることができるハンガーレール１９に吊り下げられている。具体的には、上レールであるハンガーレール１９に、筐体２の上辺部に設けられた車輪２０を通すことで、表示モジュール３が移動可能な状態で吊り下げられている。
【００４０】
一方、本実施の形態における下レールはガイドレール２１とし、筐体２の下辺部には、ガイドレール２１に沿って回転する脱落防止用のガイドローラ２２が設けられている。これにより、下レールであるガイドレール２１には、表示モジュール３の重量はほとんどかからない。
【００４１】
以上のように、本実施の形態では、上レール（ハンガーレール１９）に表示モジュール３を吊り下げ可能とすることで、大型表示装置の下辺部に荷重をかけることができない場合であっても大型表示装置を設置することができる。
【００４２】
（実施の形態６）
実施の形態１では、筐体２の左辺にヒンジ７を設け、表示パネル１を支持し開閉できる構造としていた。つまり、実施の形態１に係る表示モジュール３は、表示パネル１を水平方向に開閉する構造であった。そのため、隣接する表示モジュール３が密着している状態では、表示パネル１を開閉することができず、表示モジュール３の周囲にある程度スペースを確保する必要があった。このスペースを確保するために、実施の形態１では表示モジュール３を移動させていた。
【００４３】
しかし、大型表示装置を設置する場所によっては、スペースを確保するために表示モジュール３を移動する場所を設けることができない場合があり、表示パネル１を開くメンテナンス作業等が行えない問題があった。そこで、本実施の形態では、表示モジュール３を移動する場所が設けられない場合であっても、表示パネル１を開閉することができる構造とする。
【００４４】
具体的には、図１７に示す構造の表示モジュール３とする。図１７に示す表示モジュール３では、筐体２の上部にヒンジ７を設け、表示パネル１を支持し開閉できる構造としている。つまり、本実施の形態に係る表示モジュール３は、表示パネル１を前後方向に開閉できる構造としている。これにより、表示パネル１を開閉するために、表示モジュール３の周囲にある程度スペースを確保する必要がなくなり、表示モジュール３を移動させなくても良い。つまり、本実施の形態に係る大型表示装置は、表示モジュール３を移動する場所が確保できない場所であっても設置することができる。
【００４５】
なお、図示していないが、表示パネル１の開閉が容易にできるように、開閉のためのダンパーやストッパが設けられている。また、本実施の形態では、筐体２の上部にヒンジ７を設け、表示パネル１を支持し開閉できる構造としているが、本発明はこれに限らず筐体２の下部にヒンジ７を設け、表示パネル１を支持し開閉できる構造でも良い。
【００４６】
以上のように、本実施の形態に係る大型表示装置では、筐体２が表示パネル１の上辺又は下辺を支持しているので、メンテナンスのために表示モジュール３を移動させる場所がほとんど確保できなくても設置することができる。
【００４７】
（実施の形態７）
実施の形態１では、筐体２の右辺に設けた連結具１３で表示パネル１と筐体２とを連結している。実施の形態１で使用される連結具１３は、金具部１３ａとフック部１３ｂとで構成され、金具部１３ａの一部をフック部１３ｂに引っかけ、金具部１３ａに設けられたバネの力で表示パネル１と筐体２とを引き寄せ連結している。
【００４８】
しかし、表示モジュール３が重くなると、金具部１３ａに設けられたバネの力では、表示パネル１と筐体２とを引き寄せられず、表示パネル１と筐体２とを密着させることができない場合があった。そこで、本実施の形態では、表示パネル１と筐体２とを連結する連結具１３を互いに嵌合する凹凸形状を有する連結具とする。
【００４９】
具体的には、図１８に凹凸形状を有する連結具を用いた表示モジュール３の側面図を示す。図１８に示す表示モジュール３では、上部の連結具が凸形状の連結ピン２３と凹形状の受金具２４で構成されている。連結ピン２３は、固定用受座２５を介して表示パネル１に取り付けられている。また、受金具２４は、筐体２に取り付けられている。
【００５０】
連結ピン２３と受金具２４とを連結する場合、凸形状と凹形状とを嵌合させる必要があるために、本実施の形態に係る連結具は、表示パネル１を閉じる際の位置決め機構も有することになる。なお、凹形状をすり鉢状に加工することで位置決めがより容易になる。さらに、連結ピン２３に固定用のボルトを設け、受金具２４側にネジ加工を施しておくことで、連結ピン２３と受金具２４とをボルトで強固に連結することができる。
【００５１】
図１８に示す表示モジュール３では、下部に設けられた連結具は、実施の形態１と同じ連結具１３である。しかし、表示パネル１がさらに重くなると、上部のみ本実施の形態に係る連結具にするだけでは、十分に表示パネル１と筐体２とを密着させることができない場合がある。
【００５２】
そこで、図１９に示すように、上部及び下部の連結具を凸形状の連結ピン２３と凹形状の受金具２４で構成する。上部の連結ピン２３は、固定用受座２５を介して表示パネル１に取り付けられている。また、上部の受金具２４は、筐体２に取り付けられている。下部の連結ピン２３は、上部と同様、固定用受座２５を介して表示パネル１に取り付けられている。また、下部の受金具２４は、固定用受座２５を介して筐体２に取り付けられている。
【００５３】
図１９に示す連結具でも、連結ピン２３と受金具２４とを連結する場合、凸形状と凹形状とを嵌合させる必要があるため、表示パネル１を閉じる際の位置決め機構も有することになる。なお、凹形状をすり鉢状に加工することで位置決めがより容易になる。さらに、連結ピン２３に固定用のボルトを設け、受金具２４側にネジ加工を施しておくと、連結ピン２３と受金具２４とを強固に連結することができる。
【００５４】
以上のように、本実施の形態に係る大型表示装置では、互いに嵌合する凹凸形状を有する連結具（連結ピン２３、受金具２４）を備えるので、表示パネル１を閉じる際の位置決め容易になり、且つ表示パネル１と筐体２とを強固に連結することができる。
【００５５】
（実施の形態８）
実施の形態１では、隣接する表示モジュール３を連結する場合に、連結具１２（金具部１２ａ、フック部１２ｂ）を用いていた。しかし、大型表示装置であっても比較的小規模な場合は、表示モジュール３の重量も軽く、実施の形態１の連結具１２より弱い力で連結しても表示モジュール３間の密着性が問題となることはない。そこで、本実施の形態では、実施の形態１の連結具１２より連結する力は弱いが、作業が簡素化できる連結具を用いる。
【００５６】
図２０に、本実施の形態に係る連結具を用いて表示モジュール３を連結した様子を示す。図２０に示す表示モジュール３では、表示パネル１の上辺及び下辺の両端に、磁石で構成されたマグネットキャッチ２６がスポット溶接等で固定されている。つまり、本実施の形態に係る連結具は、磁力で連結するマグネットキャッチ２６である。
【００５７】
以上のように、本実施の形態に係る大型表示装置は、連結具が磁石（マグネットキャッチ２６）で構成されるので、連結具の着け外しの作業が不要となり、メンテナンス作業が簡素化できる。
【図面の簡単な説明】
【００５８】
【図１】本発明の実施の形態１に係る大型表示装置の斜視図である。
【図２】本発明の実施の形態１に係る大型表示装置の斜視図である。
【図３】本発明の実施の形態１に係る表示モジュールの平面図である。
【図４】本発明の実施の形態１に係る表示モジュールの側面図である。
【図５】本発明の実施の形態１に係る表示モジュールの上面図である。
【図６】本発明の実施の形態１に係る表示モジュールの底面図である。
【図７】本発明の実施の形態１に係る表示モジュール間の連結を示す図である。
【図８】本発明の実施の形態１に係る表示モジュールと筐体との連結を示す図である。
【図９】本発明の実施の形態２に係る表示モジュールの平面図である。
【図１０】本発明の実施の形態２に係る表示モジュールの側面図である。
【図１１】本発明の実施の形態２に係る表示モジュールの平面図である。
【図１２】本発明の実施の形態２に係る表示モジュールの側面図である。
【図１３】本発明の実施の形態３に係る表示モジュールの平面図である。
【図１４】本発明の実施の形態３に係る表示モジュールの断面図である。
【図１５】本発明の実施の形態４に係る表示モジュール間の連結を示す図である。
【図１６】本発明の実施の形態５に係る表示モジュールの側面図である。
【図１７】本発明の実施の形態６に係る表示モジュールと筐体との連結を示す図である。
【図１８】本発明の実施の形態７に係る表示モジュールと筐体との連結を示す図である。
【図１９】本発明の実施の形態７に係る表示モジュールと筐体との連結を示す図である。
【図２０】本発明の実施の形態７に係る表示モジュール間の連結を示す図である。
【符号の説明】
【００５９】
１  表示パネル、２  筐体、３  表示モジュール、４  上レール、５  下レール、６  化粧パネル、７  ヒンジ、８，２０  車輪、９，２２  ガイドローラ、１０  固定金具、１１  固定ピン、１２，１３  連結具、１４  取手、１５  支持板、１６  連結固定具、１７  ボルト、１８  ナット、１９  ハンガーレール、２１  ガイドレール、２３  連結ピン、２４  受金具、２５  固定用受座、２６  マグネットキャッチ。
【図１】
2005338531.tif 000003
【図２】
2005338531.tif 000004
【図３】
2005338531.tif 000005
【図４】
2005338531.tif 000006
【図５】
2005338531.tif 000007
【図６】
2005338531.tif 000008
【図７】
2005338531.tif 000009
【図８】
2005338531.tif 000010
【図９】
2005338531.tif 000011
【図１０】
2005338531.tif 000012
【図１１】
2005338531.tif 000013
【図１２】
2005338531.tif 000014
【図１３】
2005338531.tif 000015
【図１４】
2005338531.tif 000016
【図１５】
2005338531.tif 000017
【図１６】
2005338531.tif 000018
【図１７】
2005338531.tif 000019
【図１８】
2005338531.tif 000020
【図１９】
2005338531.tif 000021
【図２０】
2005338531.tif 000022